(57)【要約】【課題】洗浄法、吸着法並びに微生物脱臭法の３つの方法を組み合わせて、その長所を取り入れ前記した複合臭気の脱臭を図り得ると共に、厨房施設からの油煙をも除去し得るようにせんとするものである。【解決手段】第１と第２の二つの消臭槽から構成され、第１の消臭槽内において臭気の洗浄と吸着脱臭を行い、第２の消臭槽内において微生物による脱臭を図るようにしたことを特徴とする。【選択図】  図３
2004236865.tif 000002
【特許請求の範囲】
【請求項１】
第１と第２の二つの消臭槽から構成され、第１の消臭槽内において臭気の洗浄と吸着脱臭を行い、第２の消臭槽内において微生物による脱臭を図るようにしたことを特徴とする消臭方法。
【請求項２】
第１消臭槽で臭気の消臭を行う消臭液は、臭気の脱臭のみならず、消臭剤に吸着された臭気の洗浄・除去並びに第２消臭槽における微生物の活動と繁殖を促進し、これらを再生、活性化し得ることを特徴とする請求項１記載の消臭方法。
【請求項３】
消臭液は気泡と微生物により弱アルカリ化と活性化が図られ、再生されることを特徴とする請求項１又は２記載の消臭方法。
【請求項４】
第１シャワー室に導入された臭気を、弱アルカリ性の消臭液でシャワーしてプラスイオンの臭気を中和して洗浄した後、シャワーされた消臭液と共に第１消臭剤層に落下させ、そこを通過中に主としてアンモニア等の窒素系臭気を吸着、脱臭し、その後消臭液槽の上部空間を通って第２消臭槽に送給させ、且第１消臭剤層に吸着された臭気を、消臭液で洗浄するようにしたことを特徴とする請求項１記載の消臭方法。
【請求項５】
第２消臭槽内の第２消臭剤層を通過する間に、イオン交換能力が大きく、且微細孔に富む礫体からなる第２消臭剤の微細孔に臭気を吸着させ、微細孔内に生息する好気性微生物により分解して、硫黄系臭気及び有機酸系臭気を除去すると共に、微生物を臭気と酸素及び水分で繁殖させるようにしたことを特徴とする請求項１乃至４のいずれかに記載の消臭方法。
【請求項６】
第２消臭槽内にシャワーされる消臭液は、主として微生物に酸素と水分を供給して、第２消臭剤層に生息している好気性微生物の活動を助長するためのものであることを特徴とする請求項１乃至５のいずれかに記載の消臭方法。
【請求項７】
第１消臭剤は、ケイ酸塩、テクトアルミノケイ酸塩等からなり、網目構造の細孔を数多く持ち、イオン交換能力、吸着力に優れた大谷石、鹿沼土等の天然ゼオライト、人工ゼオライト、活性白土、シリカゲル、活性炭等から選択されることを特徴とする請求項１乃至６のいずれかに記載の消臭方法。
【請求項８】
第２消臭剤は、微細な孔にイオン交換能力により臭気を吸着させ、そこに生息する好気性微生物がこの臭気を分解してこれを栄養源として更に繁殖し得る鉱物又は酸素の供給により付着する好気性微生物の分解力を活性化するものであり、抗火石等の火山岩、セラミック球、活性汚泥、ハニカム構造物等から選択されることを特徴とする請求項１乃至６のいずれかに記載の消臭方法。
【請求項９】
消臭液は、弱アルカリ性及びマイナスイオンを持つことを特徴とする請求項１乃至６のいずれかに記載の消臭方法又は装置。
【請求項１０】
第１消臭槽、第２消臭槽、消臭液槽並びに各消臭槽の上部に配置された第１シャワー室、第２シャワー室を含み、第１消臭室内には第１消臭剤層が、第２消臭槽内には微生物の生息場所を提供する第２消臭剤層がそれぞれ設けられ、消臭液槽は第１，第２消臭槽の下部に連続して延びた単一の槽からなり、ポンプを介して第１，第２シャワー室に接続されており、第１シャワー室には臭気導入口が、第２シャワー室には排気口がそれぞれ設けられ、消臭液槽内には、気泡を発生させる気泡発生手段が配置されていることを特徴とする消臭装置。
【発明の詳細な説明】
【０００１】
【発明の属する分野】
この発明は、生ゴミ、浄化槽、廃水、汚泥、厨房等から発生する臭気を消臭する消臭方法及び装置に関する。
【０００２】
【従来の技術】
従来、生ゴミ処理機、室内ゴミ置き場、浄化槽、廃水ピット、汚泥処理機等から発生する臭気ガスや焼き鳥店、焼肉店、バーベキュー料理店、揚げ物屋、うなぎ屋等の厨房施設から発生する油煙を伴う臭気を消臭するための方法としては、例えば洗浄法、オゾン酸化法、吸着法、燃焼法、微生物脱臭法、触媒式脱臭法、消臭剤噴霧法等種々の方法が提案され、実用化されている。これらの方法は、いずれも一長一短があり、コストも様々である。特に、生ゴミはその発生事業所で処理することが義務づけられ、種々の処理機が提案され、実用に供されている。
【０００３】
しかしながら、生ゴミは、その種類が雑多であると共に、細菌等のバイオ技術を応用したものが多く、処理の過程におけるゴミの発酵・分解過程で臭気が発生している。この臭気は、雑多の生ゴミからの臭気が複雑に混じった複合臭気であるばかりでなく、強烈に強い臭気であり、完全な消臭を達成することは極めて困難であり、漏れだした臭気により機器設置場所周辺の住民からの苦情が多発している。
【０００４】
【特許文献１】
特許第２６９１５１７号公報
【特許文献２】
特許第３０９４４９４号公報
【０００５】
【発明が解決しようとする課題】
この発明は、洗浄法、吸着法並びに微生物脱臭法の３つの方法を組み合わせて、その長所を取り入れ前記した複合臭気の脱臭を図り得ると共に、厨房施設からの油煙をも除去し得るようにせんとするものである。
【０００６】
【課題を解決するための手段】
上記課題を解決するためにこの発明が消臭方法が採った手段は、第１と第２の二つの消臭槽から構成され、第１の消臭槽内において臭気の洗浄と吸着脱臭を行い、第２の消臭槽内において微生物による脱臭を図るようにしたことを特徴とする。
【０００７】
第１消臭槽で臭気の消臭を行う消臭液は、臭気の脱臭のみならず、消臭剤に吸着された臭気の洗浄・除去並びに第２消臭槽における微生物の活動と繁殖を促進し、これらを再生、活性化し得るようなものであり、気泡と微生物により弱アルカリ化と活性化が図られ、再生されることを特徴とする。
【０００８】
第１シャワー室に導入された臭気を、弱アルカリ性の消臭液でシャワーしてプラスイオンの臭気を中和して洗浄した後、シャワーされた消臭液と共に第１消臭剤層に落下させ、そこを通過中に主としてアンモニア等の窒素系臭気を吸着、脱臭し、その後消臭液槽の上部空間を通って第２消臭槽に送給させ、且第１消臭剤層に吸着された臭気を、消臭液で洗浄するようにしたことを特徴とする。
【０００９】
第２消臭槽内の第２消臭剤層を通過する間に、イオン交換能力が大きく、且微細孔に富む礫体からなる第２消臭剤の微細孔に臭気を吸着し、微細孔内に生息する好気性微生物により分解して、硫黄系臭気及び有機酸系臭気を除去すると共に、微生物を臭気と酸素及び水分で繁殖させるようにしたことを特徴とする。
【００１０】
第２消臭槽内にシャワーされる消臭液は、主として微生物に酸素と水分を供給して、第２消臭剤層に生息している好気性微生物の活動を助長するためのものであることを特徴とする。
【００１１】
第１消臭剤は、ケイ酸塩、テクトアルミノケイ酸塩等からなり、網目構造の細孔を数多く持ち、イオン交換能力、吸着力に優れた大谷石、鹿沼土等の天然ゼオライト、人工ゼオライト、活性白土、シリカゲル、活性炭等から選択されることを特徴とする。
【００１２】
第２消臭剤は、微細な孔にイオン交換能力により臭気を吸着させ、そこに生息する好気性微生物がこの臭気を分解してこれを栄養源として更に繁殖し得る鉱物又は酸素の供給により付着する好気性微生物の分解力を活性化するものであり、抗火石等の火山岩、セラミック球、活性汚泥、ハニカム構造物等から選択されることを特徴とする。
【００１３】
又、この発明の消臭装置は、第１消臭槽、第２消臭槽、消臭液槽並びに各消臭槽の上部に配置された第１シャワー室、第２シャワー室からなり、第１消臭室内には第１消臭剤層が、第２消臭槽内には微生物の生息場所を提供する第２消臭剤層がそれぞれ設けられ、消臭液槽は第１，第２消臭槽の下部に連続して延びた単一の槽からなり、ポンプを介して第１，第２シャワー室に接続されており、第１シャワー室には臭気導入口が、第２シャワー室には排気口がそれぞれ設けられ、消臭液槽内には、気泡を発生させる気泡発生手段が配置され、更にこの上部に配置される担体に寄生する好気性微生物の働きにより、消臭液の弱アルカリ化と活性化を促進することを特徴とする。
【００１４】
【発明の実施の形態】
この発明の好ましい実施の形態を、以下に詳細に説明する。この発明は、第１と第２の二つの消臭槽から構成され、第１の消臭槽内において臭気の洗浄と吸着、脱臭を行い、第２の消臭槽内において微生物による脱臭を図るようにしたことを特徴とする。かかる、洗浄、吸着及び微生物脱臭の３種類の脱臭法を組み合わせることにより、従来困難であった、生ゴミから発生する複合臭気を初め、浄化槽、廃水ピット、厨房施設からの油煙を含む臭気の脱臭並びに油煙の除去を極めて効果的、且確実に達成することが可能となる。第１消臭槽で臭気の消臭を行う消臭液は、臭気の脱臭のみならず、消臭剤に吸着された臭気及び油煙の洗浄・除去、第２消臭槽における微生物の活動と繁殖の促進を促進し、これらを再生、活性化する。又、消臭液は気泡と微生物により弱アルカリ化と活性化が図られ、再生される。かくして、この発明の消臭方法及び装置は、自己再生機能を有し長期に亘って安定した消臭効果を持続することが出来ると共に、低ランニングコストを達成することが可能となる。
【００１５】
装置は、第１消臭槽、第２消臭槽、消臭液槽並びに各消臭槽の上部に配置された第１シャワー室、第２シャワー室を含み、第１消臭室内には第１消臭剤層が、第２消臭槽内には微生物の生息場所を提供する第２消臭剤層がそれぞれ設けられる。消臭液槽は第１，第２消臭槽の下部に連続して延びた単一の槽であり、ポンプを介して第１，第２シャワー室に接続されている。第１シャワー室には臭気導入口が、第２シャワー室には排気口がそれぞれ設けられる。排気口には、必要に応じて活性炭からなる臭気吸着部を設け、万一残存した微弱な臭気を除去する。又、消臭液槽内には、気泡を発生させる気泡発生手段が配置される。
【００１６】
生ゴミ処理機、室内ゴミ置き場、浄化槽、廃水ピット、汚泥処理機等から発生する臭気ガスや焼き鳥店、焼肉店、バーベキュー料理店、揚げ物屋、うなぎ屋等の厨房施設等から発生する油煙を含んだ臭気等、種々の臭気発生源で発生した臭気が、第１シャワー室内に導入され、弱アルカリ性及びマイナスイオンを持つ消臭液及び油煙がシャワーされて、酸性及びプラスイオンの臭気が中和され洗浄される。その後、臭気及び油煙はシャワーされた消臭液と共に第１消臭剤層に落下し、そこを通過中に主としてアンモニア等の窒素系臭気が吸着され、脱臭される。その後臭気は消臭液槽の上部空間を通って第２消臭槽に送給される。第１消臭槽に吸着された臭気は、シャワーされている消臭液で洗浄され、消臭液槽に流下する。
【００１７】
第２消臭槽内の第２消臭剤層を通過する間に、イオン交換能力が大きく、且微細孔に富む礫体からなる第２消臭剤の微細孔に吸着されると共に、微細孔内に生息する好気性微生物により分解され、脱臭される。吸着された臭気は、微生物の栄養素になり分解され目詰まりが防止されると共に、微生物は酸素と臭気を栄養素として繁殖する。この過程で、硫黄系臭気及び有機酸系臭気が除去されるが、これに必要な消臭剤と臭気との接触時間を確保出来るように、臭気の送風圧力をコントロールする。かくして、臭気を除去された空気は、必要に応じて設けられた活性炭からなる臭気吸着部で残存する臭気を除去され排出される。
【００１８】
第２消臭槽内の第２シャワー室にシャワーされる消臭液は、主として微生物に酸素と水分を供給して、第２消臭剤層に生息している好気性微生物の活動を助長するためのものである。消臭液は、第１消臭剤層を洗浄することにより酸化するが、気泡発生手段から供給される空気と好気性微生物の担持体である第２消臭剤層を通過中に弱アルカリ化されて中和すると共に、活性化されて再生する。この結果、一般的に洗浄脱臭法の弱点と指摘される洗浄水のタレ流しは無く、設置場所も限定されない。
【００１９】
第１消臭剤は、ケイ酸塩、テクトアルミノケイ酸塩等からなり、網目構造の細孔を数多く持ち、イオン交換能力、吸着力に優れた大谷石、鹿沼土等の天然ゼオライト、人工ゼオライト、活性白土、シリカゲル、活性炭等から選択される。第２消臭剤は、イオン交換能力が大きく、微細な孔にイオン交換能力により臭気を吸着させ、そこに生息する好気性微生物がこの臭気を分解してこれを栄養源として更に繁殖し得る鉱物又は酸素の供給により付着する好気性微生物の分解力を活性化するもの、例えば、抗火石等の火山岩、セラミック球、活性汚泥、ハニカム構造物等から選択される。消臭液は、弱アルカリ水溶液で、臭気及び油煙を洗浄することが出来、洗浄により酸性化してくるものであり、消臭液槽及び第２消臭剤層に繁殖する好気性微生物により、活性化され、弱アルカリ化されて中和され、復元する。又、第２消臭剤層に生息する微生物に酸素と水分を補給し、その生息力高める。
【００２０】
【実施例】
図面を参照して、（１）は装置本体であり、内部に第１消臭槽（２）と第２消臭槽（３）が区画して形成されており、両槽（２）（３）は下部で一つの消臭液槽（４）を介して連結されている。第１消臭槽（２）内上部には、第１シャワー室（５）が、第２消臭槽（３）の上部には第２シャワー室（６）がそれぞれ形成される。第１シャワー室（５）には臭気導入パイプ（７）が、第２シャワー室（６）には排気パイプ（８）がそれぞれ連結されている。第１，第２シャワー室内に設置されたシャワーノズル（９）、（１０）は単一の給液パイプ（１１）に接続され、ポンプ（１２）を介して消臭液槽（４）に連結される。
【００２１】
図３を参照して、第１消臭槽（２）内には前記第１シャワー室（５）の下部に位置して、ゼオライトからなる第１消臭剤層（１３）が形成される。又、第２消臭槽（３）内の第２シャワー室（６）の下部には火山岩からなる第２消臭剤層（１４）が形成される。第１，第２消臭槽の下部は、消臭液槽の上部において相互に連通しており、第１消臭槽を通過した臭気を第２消臭槽に送気させることが出来る。第２シャワー室に達した空気は、排気パイプから外部に排出される。この排気に際して、必要に応じて配置される図示しない活性炭からなる臭気吸着部で、残存する臭気が存在する場合には除去するようにしても良い。（１５）は、消臭液槽に配置された気泡発生装置である。
【００２２】
臭気導入パイプ（７）から第１シャワー室（５）に導入された臭気はシャワーされる消臭液により酸性プラスイオンの臭気が中和され洗浄される。洗浄された臭気は消臭液と共に第１消臭剤層（１３）を通過し、通過中にアンモニア等の窒素系臭気が吸着除去される。その後臭気は消臭液槽の上部空間を通って第２消臭槽（３）に入る。第１消臭剤層（１３）に吸着された臭気は、消臭液で洗浄され、洗浄により酸化した消臭液は、消臭液槽に落下する。
【００２３】
第２消臭槽内（３）内に入った臭気は、第２消臭剤層（１４）を上方に向かって通過中に該消臭剤層に硫黄系臭気と有機酸系臭気が吸着され、吸着された臭気はそこに生息している好気性微生物により分解される。消臭剤と臭気との接触時間を確保するために、臭気の送風圧力がコントロールされる。第２消臭剤層（１４）内に生息する微生物は、第２シャワーノズル（１０）からの消臭液のシャワーにより、十分な酸素と水分が補給され、臭気を栄養素として活性化し、繁殖する。
【００２４】
第１消臭槽（２）から消臭液槽（４）内に戻った消臭液は酸化されているが、消臭液槽内の気泡発生手段並びに第２シャワー室から第２消臭剤層にシャワーされることにより、弱アルカリ化されると共に、活性化されて再生するため、排水する必要はない。
【００２５】
【発明の効果】
この発明によれば、生ゴミ処理機、室内ゴミ置き場、浄化槽、廃水ピット、汚泥処理機等から発生する臭気ガスや焼き鳥店、焼肉店、バーベキュー料理店、揚げ物屋、うなぎ屋等の厨房施設等から発生する油煙を含んだ臭気等、種々の臭気発生源で発生した複合的な臭気を効率よく、確実に消臭することが出来るとと共に、使用される消臭剤、消臭液等は装置内において自己再生されるため、汚水の排出等の心配がなく長期に亘って安定したい消臭機能を維持することが出来、ランニングコストを低減することが可能となる。
【図面の簡単な説明】
【図１】装置の正面図
【図２】装置の側面図
【図３】装置の概念図
【符号の説明】
（１）装置本体
（２）第１消臭槽
（３）第２消臭槽
（４）消臭液槽
（５）第１シャワー室
（６）第２シャワー室
（７）臭気導入パイプ
（８）排気パイプ
（９）シャワーノズル
（１０）シャワーノズル
（１１）給液パイプ
（１２）ポンプ
（１３）第１消臭剤層
（１４）第２消臭剤層
（１５）気泡発生装置
【図１】
2004236865.tif 000003
【図２】
2004236865.tif 000004
【図３】
2004236865.tif 000005